(57)【要約】【課題】電源ケーブルや接続ケーブル等の固定位置や取り回しの自由度を高めることができる配線ケーブルカバーを提供する。【解決手段】配線ケーブルカバー１は、収納溝４に配線ケーブル１１を収納して、面ファスナーの係止フック部５の係止フック６を、面ファスナーの係止パイル部として利用できる室内内張や車室内装に用いられるモケット布、毛織物、若しくは毛織絨毯２１等に係止させて固定する。長尺可撓体２の裏面３の反対側の面７を、略中央から幅方向の両端に向って厚さが漸減する傾斜面８，８とすることにより、配線ケーブルカバー１が段差となって通行の障害となることもない。収納溝４を平行に複数設けて、複数の配線ケーブル１１を纏めて取り回すこともできる。また、配線ケーブルカバーは、帯状カバー体の左右両側の長手方向に連続させて面ファスナーの係止フック部を貼着し、該係止フック部の間で配線ケーブルを保持することもできる。【選択図】図１
2006223080.tif 000002
【特許請求の範囲】
【請求項１】
長尺可撓体の幅方向略中央の長手方向に配線ケーブルの収納溝を形成するとともに、該収納溝の両側に面ファスナーの係止フック部を貼着したことを特徴とする配線ケーブルカバー。
【請求項２】
前記長尺可撓体は、前記収納溝を形成した面と反対側の面が、略中央から幅方向の両端に向って厚さが漸減する傾斜面であることを特徴とする請求項１に記載の配線ケーブルカバー。
【請求項３】
前記収納溝を複数形成したことを特徴とする請求項１又は請求項２に記載の配線ケーブルカバー。
【請求項４】
帯状カバー体の左右両側の長手方向に面ファスナーの係止フック部を貼着し、該係止フック部の間で配線ケーブルを保持するようにしたことを特徴とする配線ケーブルカバー。
【発明の詳細な説明】
【技術分野】
【０００１】
本発明は、配線ケーブルカバーに関するものである。
【背景技術】
【０００２】
電源を乾電池としない電気機器を、新たに購入して家庭内や車室内で使用する場合、電源ケーブルや接続ケーブル等が露出してしまう。このため、家庭内では邪魔にならないように、配線レールや配線ダクトに電源ケーブルを収納して壁際の天井や床に固定している。また車室内では、電源ケーブルや接続ケーブル等をタイラップバンドで結束したり、スパイラルチューブや蛇腹チューブに通して固定している。
【０００３】
しかしながら、上記配線レールや配線ダクトは、一旦配置してしまうと室内の模様替えや電気機器の配置位置の変更等に容易に対応できない。車室内では、タイラップバンド、スパイラルチューブや蛇腹チューブを使用する場合は、ドライバーや搭乗者に邪魔にならないように固定位置が限定されてしまう。
一方、室内内張や車室内装には、モケット布、毛織物、若しくは毛織絨毯等が用いられているが、これらは面ファスナーの係止パイル部として利用することができる。
【特許文献１】無し
【発明の開示】
【発明が解決しようとする課題】
【０００４】
本発明は上記に鑑みてなされたもので、室内内張や車室内装に用いられるモケット布、毛織物、若しくは毛織絨毯等を、面ファスナーの係止パイル部として利用することにより、電源ケーブルや接続ケーブル等の固定位置や取り回しの自由度を高めることができる配線ケーブルカバーを提供することを目的とするものである。
【課題を解決するための手段】
【０００５】
上記課題を解決するための請求項1に記載の配線ケーブルカバーは、長尺可撓体の幅方向略中央の長手方向に配線ケーブルの収納溝を形成するとともに、該収納溝の両側に面ファスナーの係止フック部を貼着したことを特徴とする。
【０００６】
請求項２に記載の配線ケーブルカバーは、請求項１に記載の構成において、前記長尺可撓体は、前記収納溝を形成した面と反対側の面が、略中央から幅方向の両端に向って厚さが漸減する傾斜面であることを特徴とする。
【０００７】
請求項３に記載の配線ケーブルカバーは、請求項１又は請求項２に記載の構成において、前記収納溝を複数形成したことを特徴とする。
【０００８】
請求項４に記載の配線ケーブルカバーは、帯状カバー体の左右両側の長手方向に面ファスナーの係止フック部を貼着し、該係止フック部の間で配線ケーブルを保持するようにしたことを特徴とする。
【発明の効果】
【０００９】
請求項１に記載した配線ケーブルカバーは、収納溝に配線ケーブルを収納して、面ファスナーの係止フック部を、面ファスナーの係止パイル部として利用できる室内内張や車室内装に用いられるモケット布、毛織物、若しくは毛織絨毯等に係止させて固定するもので、電源ケーブルや接続ケーブル等の固定位置や取り回しの自由度を高めることができる。
【００１０】
請求項２に記載した配線ケーブルカバーは、長尺可撓体は、収納溝を形成した面と反対側の面が、略中央から幅方向の両端に向って厚さが漸減する傾斜面であるから、配線ケーブルカバーが段差となって通行の障害となることもない。
【００１１】
請求項３に記載した配線ケーブルカバーは、収納溝を複数形成したから、複数の配線ケーブルを纏めて取り回すことができる。
【００１２】
また、請求項４に記載した配線ケーブルカバーは、帯状カバー体の左右両側の長手方向に面ファスナーの係止フック部を貼着し、該係止フック部の間で配線ケーブルを保持するようにしたもので、面ファスナーの係止フック部を、面ファスナーの係止パイル部として利用できる室内内張や車室内装に用いられるモケット布、毛織物、若しくは毛織絨毯等に係止させて固定するもので、電源ケーブルや接続ケーブル等の固定位置や取り回しの自由度を高めることができる。さらに、構成が簡易で安価に製造することができる。
【発明を実施するための最良の形態】
【００１３】
電源ケーブルや接続ケーブル等の固定位置や取り回しの自由度を高めることができる配線ケーブルカバーを提供するという目的を、長尺可撓体の幅方向略中央の長手方向に配線ケーブルの収納溝を形成するとともに、該収納溝の両側に面ファスナーの係止フック部を貼着した構成、若しくは帯状カバー体の左右両側の長手方向に面ファスナーの係止フック部を貼着し、該係止フック部の間で配線ケーブルを保持する構成とすることにより実現した。
【実施例】
【００１４】
（第１実施例）
本発明の第１実施例について添付図面を参照して説明する。図１は、第１実施例に係る配線ケーブルカバー１の使用態様例を示した斜視図である。配線ケーブルカバー１の本体は、合成樹脂製の長尺可撓体２で形成されている。長尺可撓体２は、一側の面３の幅方向略中央の長手方向に、配線ケーブル１１を収納するための断面が蒲鉾形の収納溝４が形成されている。そして、面３には、収納溝４の両側に面ファスナーの係止フック部５が長手方向に連続して貼着されている。係止フック部５には、多数の係止フック６が植設されている。面３の反対側の面７は、略中央から幅方向の両端に向って厚さが漸減する傾斜面８，８となっている。
【００１５】
上記構成の配線ケーブルカバー１は、収納溝４に配線ケーブル１１を収納して、面ファスナーの係止フック部５の係止フック６を、面ファスナーの係止パイル部として利用できる室内内張や車室内装に用いられるモケット布、毛織物、若しくは毛織絨毯２１等に係止させて固定するもので、電源ケーブルや接続ケーブル等の配線ケーブル１１の固定位置や取り回しの自由度を高めることができる。
【００１６】
また、長尺可撓体２は面３の反対側の面７が、略中央から幅方向の両端に向って厚さが漸減する傾斜面８，８となっているから、配線ケーブルカバー１が段差となって通行の障害となることもない。
【００１７】
図２は、配線ケーブルカバー１の変形例を示したものである。図２（ａ）に示すように、収納溝４を平行に複数設けて、複数の配線ケーブル１１を纏めて取り回すこともできる。また、同図（ｂ）に示すようにパラレルの配線ケーブル１２を収納できるようにすることもできる。さらに、収納溝４は、同図（ｃ）に示すように配線ケーブル１１の外周の殆どを取り囲む形状とすることもできる。この場合、長尺可撓体２を矢印のように撓ませて配線ケーブル１１を収納する。面ファスナーの係止フック部５を裏面３の略全体に貼着できるから、係止力を高めることができる。
【００１８】
また、図３に示すように長尺可撓体２の長手方向の途中に厚み方向にＶカットの切り込み１３を設けて、配線ケーブルカバー１を屈曲させることもできる。
【００１９】
（第２実施例）
図４は第２実施例に係る配線ケーブルカバー３１の使用態様例を示した斜視図である。配線ケーブルカバー３１は、帯状カバー体３２の左右両側の長手方向に連続させて面ファスナーの係止フック部５を貼着し、該係止フック部５の間で配線ケーブル１１を保持する。そして、係止フック部５に植設された多数の係止フック６を、面ファスナーの係止パイル部として利用できる室内内張や車室内装に用いられるモケット布、毛織物、若しくは毛織絨毯２１等に係止させて固定するもので、電源ケーブルや接続ケーブル等の配線ケーブル１１の固定位置や取り回しの自由度を高めることができる。さらに、構成が簡易で安価に製造することができる。帯状カバー体３２としては、合成樹脂製の可撓性板材やフェルト材等を用いることができる。
【００２０】
尚、上記係止フック部５は、長尺可撓体２や帯状カバー体３２の長手方向に連続して貼着するのではなく、図５に示すように適宜の間隔を置いて貼着することもできる。
【図面の簡単な説明】
【００２１】
【図１】第１実施例に係る配線ケーブルカバーの使用態様を示した斜視図である。
【図２】同、配線ケーブルカバーの変形例を示した断面図である。
【図３】同、配線ケーブルカバーを屈曲して使用する際の説明図である。
【図４】第１実施例に係る配線ケーブルカバーの使用態様を示した斜視図である。
【図５】係止フック部の貼着態様を例示した説明図である。
【符号の説明】
【００２２】
１，３１  配線ケーブルカバー
２  長尺可撓体
３  裏面
４  収納溝
５  係止フック部
６  係止フック
８，８  傾斜面
１１  配線ケーブル
２１  毛織絨毯等
３２  帯状カバー体
【図１】
2006223080.tif 000003
【図２】
2006223080.tif 000004
【図３】
2006223080.tif 000005
【図４】
2006223080.tif 000006
【図５】
2006223080.tif 000007